(57)【要約】      （修正有）【課題】施工性を高めるため、断熱材が袋の中を移動することが無く、また、嵩密度を高めて施工できるように空気抜きも可能にした包装断熱材を提供する。【解決手段】包装断熱材は、繊維が集積して形成された所定形状の繊維性断熱材１と、前記所定形状と略相似の収容形状を有する収容袋２と、を備え、前記収容袋の一部を不織布３で形成する。前記繊維性断熱材は、背向する二つの面を持つ平板形状であり、前記収容袋は、前記繊維性断熱材の一方の面１ａと相似形であって周縁部へ環状のシール代部２１ａを持つ一方のシート２１と、前記繊維性断熱材の他方の面１ｂと相似形であって周縁部へ環状のシール代部２２ａを持つ他方のシート２２とを重ねて、前記一方のシートのシール代部と前記他方のシートのシール代部とを取着してなり、前記一方のシートの一部が不織布で形成する。また、前記一方のシートの全部が不織布で形成されていてもよい。【選択図】図２
0003153004.tif 000002
【実用新案登録請求の範囲】
【請求項１】
繊維が集積して形成された所定形状の繊維性断熱材と、前記所定形状と略相似の収容形状を有する収容袋と、を備える包装断熱材であって、
前記収容袋の一部が不織布で形成されていることを特徴とする包装断熱材。
【請求項２】
前記繊維性断熱材は、背向する二つの面を持つ平板形状であり、
前記収容袋は、前記繊維性断熱材の一方の面と相似形であって周縁部へ環状のシール代部を持つ一方のシートと、前記繊維性断熱材の他方の面と相似形であって周縁部へ環状のシール代部を持つ他方のシートとを重ねて、前記一方のシートのシール代部と前記他方のシートのシール代部とを取着してなり、
前記一方のシートの一部が不織布で形成されている請求項１に記載の包装断熱材。
【請求項３】
前記一方のシートの全部が不織布で形成されている請求項２に記載の包装断熱材。
【考案の詳細な説明】
【技術分野】
【０００１】
本発明は、ロックウール、グラスウール等の繊維性断熱材を包装した包装断熱材に関する。
【背景技術】
【０００２】
繊維性断熱材は、断熱性能に優れるとともに、高強度で、かつ不燃性も発揮し極めて有用な材料ではあるが、取り扱う際に中に含まれている細かな繊維片が粉塵となって飛散しやすく、これを吸うことがないように作業者はマスクを使用していて問題ないが、これが身体に被着するとチクチクする不快感を生じることから、断熱材から繊維片が飛散しないようにポリエチレン製の袋に収納し使用することが一般に行われている（例えば、特許文献１参照。）。
【先行技術文献】
【特許文献】
【０００３】
【特許文献１】特開２０００−６９１８号公報
【考案の概要】
【考案が解決しようとする課題】
【０００４】
上記従来の袋詰めされた包装断熱材の場合、取り扱う時に断熱材が袋の中を動いてしまい、施工し難かった。また、袋がポリエチレン等のフィルムで形成されているため、中の空気を抜いて嵩密度を高めて施工することができなかった。
本考案は、上記の問題に鑑みてなされたもので、断熱材が袋の中を移動することが無く、空気抜きもできる包装断熱材を提供することを課題とする。
【課題を解決するための手段】
【０００５】
上記の課題を解決するためになされた本考案の包装断熱材は、繊維が集積して形成された所定形状の繊維性断熱材と、前記所定形状と略相似の収容形状を有する収容袋と、を備え、前記収容袋の一部が不織布で形成されていることを特徴とする。
【０００６】
本考案の包装断熱材において、前記繊維性断熱材は、背向する二つの面を持つ平板形状であり、前記収容袋は、前記繊維性断熱材の一方の面と相似形であって周縁部へ環状のシール代部を持つ一方のシートと、前記繊維性断熱材の他方の面と相似形であって周縁部へ環状のシール代部を持つ他方のシートとを重ねて、前記一方のシートのシール代部と前記他方のシートのシール代部とを取着してなり、前記一方のシートの一部が不織布で形成されているとよい。
【０００７】
また、前記一方のシートの全部が不織布で形成されているとよい。
【考案の効果】
【０００８】
収容袋の不織布に断熱材の繊維が引っかかり断熱材の動きが抑制される。また、不織布は、空気を通すので収容袋の中の空気を外に出すことができ、嵩密度を高くすることができる。中の空気を抜く際、断熱材の繊維は不織布を通り抜けることができないので、作業者に繊維が付着しない。
【０００９】
断熱材が平板形状で、収容袋が平板形状と相似の収容形状を有していると、断熱材の動き回りは、一層抑制される。空気を抜くことによる断熱材の厚み方向への圧縮が容易になる。
【００１０】
一方のシートの全部が不織布で形成されていると、断熱材の移動はより一層抑制される。空気の出し入れが断熱材の一方の面全体に亘って行われるので、断熱材の厚み方向への圧縮・膨張が容易になる。
【図面の簡単な説明】
【００１１】
【図１】本考案の包装断熱材の平面図である。
【図２】図１のA−A線断面図である。
【図３】本考案の変形態様の包装断熱材の平面図である。
【図４】図３のA−A線断面図である。
【図５】本考案の別の変形態様の包装断熱材の平面図である。
【考案を実施するための形態】
【００１２】
本考案の包装断熱材の実施形態を図面を参照して説明する。
【００１３】
本考案の包装断熱材は、図１及び２に示すように、背向する二つの面１a、１bを持つ平板形状の繊維性断熱材１と、繊維性断熱材１の一方の面１aと相似形であって周縁部へ環状のシール代部２１aを持つ一方のシート２１と繊維性断熱材１の他方の面１bと相似形であって周縁部へ環状のシール代部２２aを持つ他方のシート２２とを重ねて、一方のシート２１のシール代部２１aと他方のシート２２のシール代部２２aとを取着してなる収容袋２を有している。そして、シート２１の一部が不織布３で形成されている。
【００１４】
繊維が集積して形成された繊維性断熱材１は、グラスウールやロックウールを始めとするガラス繊維や、植物繊維、ポリプロピレンやポリエステルを始めとする化学繊維などの積層品である。
【００１５】
一方のシート２１及び他方のシート２２には、紙、熱可塑性シート、金属箔、アルミガラスクロス、ガラスクロスを用いることができる。
【００１６】
不織布３は、シート２１の中央部を切り抜き、そこを塞ぐように取着される。取着は例えば接着や溶着である。
【００１７】
次に、本実施形態の包装断熱材の製法を説明する。繊維性断熱材１をシート２１と２２とでサンドイッチして、シール代部２１aと２２aとを溶着すれば、包装断熱材ができる。溶着の代わりに溶断あるいは接着でもよい。
【００１８】
収容袋２の不織布３に繊維性断熱材１の繊維が引っかかり断熱材１の収容袋２内での動きが抑制される。また、不織布３は、空気を通すので収容袋２の中の空気を外に出すことができ、嵩密度を高くすることができる。中の空気を抜く際、繊維性断熱材１の繊維は不織布３を通り抜けることができないので、作業者に繊維が付着しない。
【００１９】
次に、本考案の包装断熱材の変形態様を説明する。図３、４に示すように、変形態様の包装断熱材は、包装袋４の一方のシート４１を全て不織布にした以外は上記の包装断熱材と同じである。
【００２０】
繊維性断熱材１の一方の面１a全面が不織布４１に接触するので、繊維性断熱材１の移動はより一層抑制される。空気の出し入れが繊維性断熱材１の一方の面１a全体に亘って行われるので、繊維性断熱材１の厚み方向への圧縮・膨張が容易になる。
【００２１】
包装袋４の一方のシート４１を全て不織布にすると、繊維性断熱材１の移動を効果的に抑制できるが、不織布は高価であるのでコストアップになる。
【００２２】
図５に示す別の変形態様の包装断熱材は、図１に示す包装断熱材を変形したものである。一方のシート２１の４隅部分に不織布３a〜３dを配置することで、シート２１全面を不織布にしたのとほぼ同じ効果が得られ、コストアップを抑えることができる。
【符号の説明】
【００２３】
１・・・・・・・・・・繊維性断熱材
１a・・・・・・・・ 一方の面
１b・・・・・・・・ 他方の面
２、４・・・・・・・・収容袋
２１、４１・・・・・一方のシート
２１a、４１a・・・シール代部
２２、４２・・・・・他方のシート
２２a、４２a・・・シール代部
３、３a〜３d・・・・・不織布
【図１】
0003153004.tif 000003
【図２】
0003153004.tif 000004
【図３】
0003153004.tif 000005
【図４】
0003153004.tif 000006
【図５】
0003153004.tif 000007